(57)【要約】【課題】各録画装置に記録された番組データの中から必要な番組データを検索して、録画装置間で番組データの受け渡しを可能にする。【解決手段】本発明は、サーバ装置によって各録画装置に記録された番組データの中から必要な番組データを検索し、放送開始時刻から記録開始時刻までの時間帯の番組データに編集し、編集された番組データが番組データの記録に失敗した録画装置に送信され、記録される。【選択図】      図１
2004320455.tif 000002
【特許請求の範囲】
【請求項１】
放送されている番組の映像及び音声を含む番組データを記録する複数の録画装置と、１つのサーバ装置からなる番組録画システムであって、
前記サーバ装置に接続され、放送される番組毎に少なくとも番組の放送開始時刻及び、番組の放送終了時刻を表す番組情報を記憶する番組データーベース装置を有し、
前記録画装置は、
所定の番組の放送時間内において放送開始時刻よりも後に、該所定の番組の番組データの記録が開始された場合に、少なくとも記録が開始された時刻を表す情報を含む録画情報を前記サーバ装置に送信する録画情報送信手段と、
前記サーバ装置から取得した、該サーバ装置によって編集された番組データと記録された番組データとを関連付けて記録する番組データ記録手段と、を有し、
前記サーバ装置は、
前記録画装置から取得した前記録画情報及び前記番組データーベース装置から取得した前記番組情報に基づいて、放送開始時刻よりも後に番組データの記録が開始された番組を解析する番組解析手段と、
前記番組解析手段で解析された番組において、少なくとも放送開始時刻から記録開始時刻までの番組データを含む番組データを、前記複数の録画装置によって記録された番組データの中から検索して取得する番組データ検索取得手段と、
前記録画情報及び前記番組情報に基づいて、取得した番組データが放送開始時刻から記録開始時刻までの番組データとなるように編集し、前記録画情報送信元の前記録画装置に送信する番組データ編集手段と、を有することを特徴とする番組録画システム。
【請求項２】
放送されている番組の映像及び音声を含む番組データを記録する複数の録画装置と、１つのサーバ装置からなる番組録画システムであって、
前記サーバ装置に接続され、放送される番組毎に少なくとも番組の放送開始時刻及び、番組の放送終了時刻を表す番組情報を記憶する番組データーベース装置を有し、
前記録画装置は、
所定の番組の放送時間内において放送開始時刻よりも後に、該所定の番組の番組データの記録が開始された場合に、少なくとも記録開始時刻を表す情報を含む録画情報を前記サーバ装置に送信する録画情報送信手段と、
前記サーバ装置から番組データを取得し、記録されている番組データを該サーバ装置から取得した該番組データと置き換える番組データ置換手段と、を有し、
前記サーバ装置は、
前記録画装置から取得した前記録画情報及び前記番組データーベースから取得した前記番組情報に基づいて、放送開始時刻よりも後に番組データの記録が開始された番組を解析する番組解析手段と、
前記番組解析手段で解析された番組の放送開始時刻から放送終了時刻までの番組データを含む番組データを、前記複数の録画装置によって記録された番組データの中から検索して取得し、前記録画情報送信元の録画装置に送信する番組データ検索取得手段と、を有することを特徴とする番組録画システム。
【請求項３】
放送されている番組の映像及び音声を含む番組データを記録する複数の録画装置と、１つのサーバ装置からなる番組録画システムであって、
前記サーバ装置に接続され、放送される番組毎に少なくとも番組の放送開始時刻及び、番組の放送終了時刻を表す番組情報を記憶する番組データーベース装置を有し、
前記録画装置は、
所定の番組の放送時間内において放送開始時刻よりも後に、該所定の番組の番組データの記録が開始された場合には、該所定の番組の番組データの記録を実行せずに、少なくとも記録開始時刻を表す情報を含む録画情報を前記サーバ装置に送信する録画情報送信手段と、
前記サーバ装置から取得した番組データを記録する番組データ取得手段と、を有し、
前記サーバ装置は、
前記録画装置から取得した前記録画情報及び、前記番組データーベース装置から取得した前記番組情報に基づいて、放送開始時刻よりも後に記録が開始された番組を解析する番組解析手段と、
前記番組解析手段で解析された番組の放送開始時刻から放送終了時刻までの番組データを含む番組データを、前記複数の録画装置によって記録された番組データの中から検索して取得し、前記録画情報送信元の前記録画装置に送信する番組データ検索取得手段と、を有することを特徴とする番組録画システム。
【請求項４】
放送されている番組の映像及び音声を含む番組データを記録する複数の録画装置であって、
前記番組データを記録する番組データ記録手段と、
所定の番組の放送時間内において放送開始時刻よりも後に該所定の番組の番組データの記録が開始された場合に、少なくとも記録開始時刻を表す情報を含む録画情報を生成する録画情報生成手段と、
サーバ装置によって編集された番組データを取得する番組データ取得手段と、を有し、
前記番組データ記録手段は、
所定の番組の放送時間内において放送開始時刻よりも後に前記所定の番組の記録を開始した場合には、既に記録された番組データと前記番組データ取得手段によって取得された番組データとを関連付けて記録する手段を含む、ことを特徴とする録画装置。
【請求項５】
放送されている番組の映像及び音声を含む番組データを記録する複数の録画装置であって、
前記番組データを記録する番組データ記録手段と、
所定の番組の放送時間内において放送開始時刻よりも後に、該所定の番組データの記録が開始された場合に、少なくとも記録開始時刻を表す情報を含む録画情報を生成する録画情報生成手段と、
サーバ装置によって取得された番組データを、該サーバ装置から取得する番組データ取得手段と、を有し、
前記番組データ記録手段は、
所定の番組の放送時間内において放送開始時刻よりも後に、前記所定の番組の記録を開始した場合には、既に記録された番組データを前記番組データ取得手段によって取得された前記番組データと置き換える手段を、含むことを特徴とする録画装置。
【請求項６】
放送されている番組の映像及び音声を含む番組データを記録する複数の録画装置であって、
前記番組データを記録する番組データ記録手段と、
所定の番組の放送時間内において放送開始時刻よりも後に、該所定の番組の番組データの記録が開始された場合に、少なくとも記録開始時刻を表す情報を含む録画情報を生成する録画情報生成手段と、
前記サーバ装置によって取得された番組データを該サーバ装置から取得する番組データ取得手段と、を有し、
前記番組データ記録手段は、
所定の番組の放送時間内において放送開始時刻よりも後に、該所定の番組の記録が開始された場合には、番組データの記録を行わずに、前記番組データ取得手段によって取得された番組データを記録する手段を、含むことを特徴とする録画装置。
【請求項７】
番組録画システムに用いられるサーバ装置であって、
放送されている番組の映像及び音声を含む番組データを記録する複数の録画装置によって送信される少なくとも記録開始時刻を表す情報を含む録画情報及び、番組データーベースに記憶された番組情報に基づいて、放送開始時刻よりも後に、番組データの記録が開始された番組を解析する番組解析手段と、
前記番組解析手段で解析された番組において、少なくとも放送開始時刻から記録開始時刻までの番組データを含む番組データを複数の録画装置によって記録された番組データの中から検索して取得する番組データ検索取得手段と、
前記録画情報及び前記番組情報に基づいて、取得した番組データが放送開始時刻から記録開始時刻までの番組データとなるように編集し、前記録画情報送信元の前記録画装置に送信する番組データ編集手段と、を有することを特徴とするサーバ装置。
【請求項８】
番組録画システムに用いられるサーバ装置であって、
放送されている番組の映像及び音声を含む番組データを記録する複数の録画装置によって送信される少なくとも記録開始時刻を表す情報を含む録画情報及び番組データーベース装置に記憶された番組情報に基づいて、放送開始時刻よりも後に、番組データの記録が開始された番組を解析する番組解析手段と、
解析された番組の放送開始時刻から放送終了時刻までの番組データを含む番組データを、前記複数の録画装置によって記録された番組データの中から検索して取得し、前記録画情報送信元の前記録画装置に送信する番組データ検索取得手段と、を有することを特徴とするサーバ装置。
【請求項９】
放送されている番組の映像及び音声を含む番組データを記録する複数の録画装置と、１つのサーバ装置からなるシステムにおける番組録画システム制御方法において、
前記録画装置において、
所定の番組の放送時間内において放送開始時刻よりも後に該所定の番組の番組データの記録を開始する記録開始ステップと、
少なくとも、記録開始時刻を表す情報を含む録画情報をサーバ装置に送信する録画情報送信ステップと、
前記サーバ装置において、
前記録画情報及び番組データーベース装置に記憶された番組情報に基づいて、放送開始時刻よりも後に番組データの記録が開始された番組を解析する番組解析ステップと、
前記番組解析ステップで解析された番組において少なくとも放送開始時刻から記録開始時刻までの番組データを含む番組データを複数の録画装置によって記録された番組データの中から検索して取得する番組データ取得ステップと、
前記録画情報及び前記番組情報に基づいて、取得した番組データが放送開始時刻から記録開始時刻までの番組データとなるように編集する番組データ編集ステップと、
前記番組編集ステップで編集された前記番組データを前記録画情報送信元の前記録画装置に送信する番組データ送信ステップと、
前記録画装置において、
前記サーバ装置から送信された前記番組データと既に記録された番組データとを関連付けて記録する番組データ再記録ステップと、からなることを特徴とする番組録画システム制御方法。
【請求項１０】
放送されている番組の映像及び音声を含む番組データを記録する複数の録画装置と、１つのサーバ装置からなるシステムにおける番組録画システム制御方法において、
前記録画装置において、
所定の番組の放送時間内において放送開始時刻よりも後に該所定の番組の番組データの記録を開始する記録開始ステップと、
少なくとも、記録開始時刻を表す情報を含む録画情報をサーバ装置に送信する録画情報送信ステップと、
前記サーバ装置において、
前記録画情報及び番組データーベース装置に記憶された番組情報に基づいて、放送開始時刻よりも後に、番組データの記録が開始された番組を解析する番組解析ステップと、
前記番組解析ステップで解析された番組の放送開始時刻から放送終了時刻までの番組データを含む番組データを複数の録画装置によって記録された番組データの中から検索して取得する番組データ検索取得ステップと、
前記番組データ検索取得ステップで取得した前記番組データを前記録画情報の送信元の前記録画装置に送信する番組データ送信ステップと、
前記録画装置において、
既に記録された番組データを、前記サーバ装置から送信された前記番組データと置き換える番組データ置換ステップと、からなることを特徴とする番組録画システム制御方法。
【請求項１１】
放送されている番組の映像及び音声を含む番組データを記録する複数の録画装置と、１つのサーバ装置からなるシステムにおける番組録画システム制御方法において、
前記録画装置において、
所定の番組の放送時間内において放送開始時刻よりも後に該所定の番組の番組データの記録が開始された場合には、該所定の番組の番組データの記録を実行せずに、少なくとも記録開始時刻を表す情報を含む録画情報をサーバ装置に送信する録画する記録開始ステップと、
前記サーバ装置において、
前記録画情報及び番組データーベース装置に記憶された番組情報に基づいて、放送開始時刻よりも後に番組データの記録が開始された番組を解析する番組解析ステップと、
前記番組解析ステップで解析された番組の放送開始時刻から放送終了時刻までの番組データを含む番組データを複数の録画装置によって記録された番組データの中から検索して取得する番組データ検索取得ステップと、
前記番組データ検索取得ステップで取得した前記番組データを、前記録画情報送信元の録画装置に送信する番組データ送信ステップと、
前記録画装置において、
前記サーバから送信された前記番組データを記録する番組データ記録ステップと、からなることを特徴とする番組録画システム制御方法。
【請求項１２】
放送されている番組の映像及び音声を含む番組データを記録する複数の録画装置で実行される、番組録画システム制御プログラムであって、
所定の番組の放送時間内において放送開始時刻よりも後に該所定の番組の番組データの記録を開始する記録開始ステップと、
少なくとも、記録開始時刻を表す情報を含む録画情報をサーバ装置に送信する録画情報送信ステップと、
前記サーバ装置によって編集された番組データと既に記録された番組データとを関連付けて記録する番組データ再記録ステップと、からなり、コンピュータに実行させることを特徴とする番組録画システム制御プログラム。
【請求項１３】
放送されている番組の映像及び音声を含む番組データを記録する複数の録画装置で実行される、番組録画システム制御プログラムであって、
所定の番組の放送時間内において放送開始時刻よりも後に該所定の番組の番組データの記録を開始する記録開始ステップと、
少なくとも、記録開始時刻を表す情報を含む録画情報をサーバ装置に送信する録画情報送信ステップと、
既に記録された番組データを、前記サーバ装置によって取得された番組データと置き換える番組データ置換ステップと、からなり、コンピュータに実行させることを特徴とする番組録画システム制御プログラム。
【請求項１４】
放送されている番組の映像及び音声を含む番組データを記録する複数の録画装置で実行される、番組録画システム制御プログラムであって、
所定の番組の放送時間内において放送開始時刻よりも後に該所定の番組の番組データの記録が開始された場合には、該所定の番組の番組データの記録を実行せずに、少なくとも記録開始時刻を表す情報を含む録画情報をサーバ装置に送信する録画する記録開始ステップと、
前記サーバ装置で取得された番組データを前記サーバ装置から取得し、記録する番組データ記録ステップと、からなり、コンピュータに実行させることを特徴とする番組録画システム制御プログラム。
【請求項１５】
番組録画システムにおけるサーバ装置で実行される番組録画システム制御プログラムであって、
録画装置から送信された録画情報及び番組データーベース装置に記憶された番組情報に基づいて、放送開始時刻よりも後に番組データの記録が開始された番組を解析する番組解析ステップと、
前記番組解析ステップで解析された番組において少なくとも放送開始時刻から記録開始時刻までの番組データを含む番組データを複数の録画装置によって記録された番組データの中から検索して取得する番組データ取得ステップと、
前記録画情報及び前記番組情報に基づいて、取得した番組データが放送開始時刻から記録開始時刻までの番組データとなるように編集する番組データ編集ステップと、
前記番組データ編集ステップで編集された前記番組データを、前記録画情報送信元の前記録画装置に送信する番組データ送信ステップと、からなり、コンピュータに実行させることを特徴とする番組録画システム制御プログラム。
【請求項１６】
番組録画システムのサーバ装置で実行される番組録画システム制御プログラムであって、
録画装置から送信された録画情報及び番組データーベース装置に記憶された番組情報に基づいて、放送開始時刻よりも後に、番組データの記録が開始された番組を解析する番組解析ステップと、
前記番組解析ステップで解析された番組の放送開始時刻から放送終了時刻までの番組データを含む番組データを複数の録画装置によって記録された番組データの中から検索して取得する番組データ検索取得ステップと、
前記番組データ検索取得ステップで取得した前記番組データを、前記録画情報の送信元の前記録画装置に送信する番組データ送信ステップと、
からなり、コンピュータに実行させることを特徴とする番組録画システム制御プログラム。
【請求項１７】
番組録画システムのサーバ装置で実行される番組録画システム制御プログラムであって、
録画装置から送信された録画情報及び番組データーベース装置に記憶された番組情報に基づいて、放送開始時刻よりも後に番組データの記録が開始された番組を解析する番組解析ステップと、
前記番組解析ステップで解析された番組の放送開始時刻から放送終了時刻までの番組データを含む番組データを複数の録画装置によって記録された番組データの中から検索して取得する番組データ検索取得ステップと、
前記番組データ取得ステップで取得した前記番組データを、前記録画情報の送信元の前記録画装置に送信する番組データ送信ステップと、
からなり、コンピュータに実行させることを特徴とする番組録画システム制御プログラム。
【発明の詳細な説明】
【０００１】
【発明の属する技術分野】
本発明は、番組録画システム及び録画装置及びサーバ装置及び番組録画システム制御方法及び番組録画システム制御プログラムに係り、特に、複数の録画装置間で番組データを共有する番組録画システム及び録画装置及びサーバ装置及び番組録画システム制御方法及び番組録画システム制御プログラムに関する。
【０００２】
【従来の技術】
従来、この種の番組録画システムは、複数のユーザ端末と、放送されている番組の中からユーザ端末によって配信が要求された番組データを受信して記憶するサーバ装置とを備えている。このように構成された番組録画システムにおいて、ユーザは、サーバに要求した番組を視聴したいときには、当該番組の番組データをサーバ装置から取得して、視聴及びユーザ端末への番組データの記録を行うことができる（例えば、特許文献１、特許文献２、及び特許文献３参照）。
【０００３】
【特許文献１】
特開２００２−１０１３７０号公報
【０００４】
【特許文献２】
特開２００２−１１２２２３号公報
【０００５】
【特許文献３】
特開２００１−１８５９３１号公報
【０００６】
【発明が解決しようとする課題】
しかしながら、上記従来の番組録画システムは、ユーザ端末から要求を受けた番組の番組データをサーバ装置に記録しておくものであるが、１つの録画装置において所定の番組データの記録が放送開始時刻よりも後に開始された場合に、ネットワークに接続され、複数の録画装置に記録された番組データの中から必要な番組データを検索して、録画装置間で番組データの受け渡しをするような番組録画システムは、これまでにはない。
【０００７】
本発明は、上記の点に鑑みなされたもので、各録画装置に記録された番組データの中から必要な番組データを検索して、録画装置間で番組データの受け渡しをすることができる番組録画システム及び録画装置及びサーバ装置及び番組録画システム制御方法及び番組録画システム制御プログラムを提供することを目的とする。
【０００８】
【課題を解決するための手段】
図１は、本発明の原理構成図である。
【０００９】
本発明は、放送されている番組の映像及び音声を含む番組データを記録する複数の録画装置１１０と、１つのサーバ装置１３０からなる番組録画システムであって、
サーバ装置１３０に接続され、放送される番組毎に少なくとも番組の放送開始時刻及び、番組の放送終了時刻を表す番組情報を記憶する番組データーベース装置１２０を有し、
録画装置１１０は、
所定の番組の放送時間内において放送開始時刻よりも後に、該所定の番組の番組データの記録が開始された場合に、少なくとも記録が開始された時刻を表す情報を含む録画情報をサーバ装置１３０に送信する録画情報送信手段１１４と、
サーバ装置１３０から取得した、該サーバ装置１３０によって編集された番組データと記録された番組データとを関連付けて記録する番組データ記録手段１１３ａと、を有し、
サーバ装置１３０は、
録画装置１１０から取得した録画情報及び番組データーベース装置１２０から取得した番組情報に基づいて、放送開始時刻よりも後に番組データの記録が開始された番組を解析する番組解析手段１３１と、
番組解析手段１３１で解析された番組において少なくとも放送開始時刻から記録開始時刻までの番組データを含む番組データを、複数の録画装置１１０によって記録された番組データの中から検索して取得する番組データ検索取得手段１３２と、
録画情報及び番組情報に基づいて、取得した番組データが放送開始時刻から記録開始時刻までの番組データとなるように編集し、録画情報送信元の録画装置１１０に送信する番組データ編集手段１３３と、を有する。
【００１０】
本発明は、放送されている番組の映像及び音声を含む番組データを記録する複数の録画装置と、１つのサーバ装置からなる番組録画システムであって、
サーバ装置に接続され、放送される番組毎に少なくとも番組の放送開始時刻及び、番組の放送終了時刻を表す番組情報を記憶する番組データーベース装置を有し、
録画装置は、
所定の番組の放送時間内において放送開始時刻よりも後に、該所定の番組の番組データの記録が開始された場合に、少なくとも記録開始時刻を表す情報を含む録画情報をサーバ装置に送信する録画情報送信手段と、
サーバ装置から番組データを取得し、記録されている番組データを該サーバ装置から取得した該番組データと置き換える番組データ置換手段と、を有し、
サーバ装置は、
録画装置から取得した録画情報及び番組データーベースから取得した番組情報に基づいて、放送開始時刻よりも後に番組データの記録が開始された番組を解析する番組解析手段と、
番組解析手段で解析された番組の放送開始時刻から放送終了時刻までの番組データを含む番組データを、複数の録画装置によって記録された番組データの中から検索して取得し、録画情報送信元の録画装置に送信する番組データ検索取得手段と、を有する。
【００１１】
本発明は、放送されている番組の映像及び音声を含む番組データを記録する複数の録画装置と、１つのサーバ装置からなる番組録画システムであって、
サーバ装置に接続され、放送される番組毎に少なくとも番組の放送開始時刻及び、番組の放送終了時刻を表す番組情報を記憶する番組データーベース装置を有し、
録画装置は、
所定の番組の放送時間内において放送開始時刻よりも後に、該所定の番組の番組データの記録が開始された場合には、該所定の番組の番組データの記録を実行せずに、少なくとも記録開始時刻を表す情報を含む録画情報をサーバ装置に送信する録画情報送信手段と、
サーバ装置から取得した番組データを記録する番組データ取得手段と、を有し、
サーバ装置は、
録画装置から取得した録画情報及び、番組データーベース装置から取得した番組情報に基づいて、放送開始時刻よりも後に記録が開始された番組を解析する番組解析手段と、
番組解析手段で解析された番組の放送開始時刻から放送終了時刻までの番組データを含む番組データを、複数の録画装置によって記録された番組データの中から検索して取得し、録画情報送信元の録画装置に送信する番組データ検索取得手段と、を有する。
【００１２】
本発明は、放送されている番組の映像及び音声を含む番組データを記録する複数の録画装置であって、
番組データを記録する番組データ記録手段と、
所定の番組の放送時間内において放送開始時刻よりも後に該所定の番組の番組データの記録が開始された場合に、少なくとも記録開始時刻を表す情報を含む録画情報を生成する録画情報生成手段と、
サーバ装置によって編集された番組データを取得する番組データ取得手段と、を有し、
番組データ記録手段は、
所定の番組の放送時間内において放送開始時刻よりも後に所定の番組の記録を開始した場合には、既に記録された番組データと番組データ取得手段によって取得された番組データとを関連付けて記録する手段を含む。
【００１３】
本発明は、放送されている番組の映像及び音声を含む番組データを記録する複数の録画装置であって、
番組データを記録する番組データ記録手段と、
所定の番組の放送時間内において放送開始時刻よりも後に、該所定の番組データの記録が開始された場合に、少なくとも記録開始時刻を表す情報を含む録画情報を生成する録画情報生成手段と、
サーバ装置によって取得された番組データを、該サーバ装置から取得する番組データ取得手段と、を有し、
番組データ記録手段は、
所定の番組の放送時間内において放送開始時刻よりも後に、所定の番組の記録を開始した場合には、既に記録された番組データを番組データ取得手段によって取得された番組データと置き換える手段を、含む。
【００１４】
本発明は、放送されている番組の映像及び音声を含む番組データを記録する複数の録画装置であって、
番組データを記録する番組データ記録手段と、
所定の番組の放送時間内において放送開始時刻よりも後に、該所定の番組の番組データの記録が開始された場合に、少なくとも記録開始時刻を表す情報を含む録画情報を生成する録画情報生成手段と、
サーバ装置によって取得された番組データを該サーバ装置から取得する番組データ取得手段と、を有し、
番組データ記録手段は、
所定の番組の放送時間内において放送開始時刻よりも後に、該所定の番組の記録が開始された場合には、番組データの記録を行わずに、番組データ取得手段によって取得された番組データを記録する手段を、含む。
【００１５】
本発明は、番組録画システムに用いられるサーバ装置であって、
放送されている番組の映像及び音声を含む番組データを記録する複数の録画装置によって送信される少なくとも記録開始時刻を表す情報を含む録画情報及び、番組データーベースに記憶された番組情報に基づいて、放送開始時刻よりも後に、番組データの記録が開始された番組を解析する番組解析手段と、
番組解析手段で解析された番組において、少なくとも放送開始時刻から記録開始時刻までの番組データを含む番組データを複数の録画装置によって記録された番組データの中から検索して取得する番組データ検索取得手段と、
録画情報及び番組情報に基づいて、取得した番組データが放送開始時刻から記録開始時刻までの番組データとなるように編集し、録画情報送信元の録画装置に送信する番組データ編集手段と、を有する。
【００１６】
本発明は、番組録画システムに用いられるサーバ装置であって、
放送されている番組の映像及び音声を含む番組データを記録する複数の録画装置によって送信される少なくとも記録開始時刻を表す情報を含む録画情報及び番組データーベース装置に記憶された番組情報に基づいて、放送開始時刻よりも後に、番組データの記録が開始された番組を解析する番組解析手段と、
解析された番組の放送開始時刻から放送終了時刻までの番組データを含む番組データを、複数の録画装置によって記録された番組データの中から検索して取得し、録画情報送信元の録画装置に送信する番組データ検索取得手段と、を有する。
【００１７】
図２は、本発明の原理を説明するための図である。
【００１８】
本発明は、放送されている番組の映像及び音声を含む番組データを記録する複数の録画装置と、１つのサーバ装置からなるシステムにおける番組録画システム制御方法において、
録画装置において、
所定の番組の放送時間内において放送開始時刻よりも後に該所定の番組の番組データの記録を開始する記録開始ステップと（ステップ１）、
少なくとも、記録開始時刻を表す情報を含む録画情報をサーバ装置に送信する録画情報送信ステップと（ステップ２）、
サーバ装置において、
録画情報及び番組データーベース装置に記憶された番組情報に基づいて、放送開始時刻よりも後に番組データの記録が開始された番組を解析する番組解析ステップと（ステップ３）、
番組解析ステップで解析された番組において少なくとも放送開始時刻から記録開始時刻までの番組データを含む番組データを複数の録画装置によって記録された番組データの中から検索して取得する番組データ取得ステップと（ステップ４）、
録画情報及び番組情報に基づいて、取得した番組データが放送開始時刻から記録開始時刻までの番組データとなるように編集する番組データ編集ステップと（ステップ５）、
編集された番組データを録画情報送信元の録画装置に送信する番組データ送信ステップと（ステップ６）、
録画装置において、
サーバ装置によって編集された番組データと既に記録された番組データとを関連付けて記録する番組データ再記録ステップと（ステップ７）からなる。
【００１９】
本発明は、放送されている番組の映像及び音声を含む番組データを記録する複数の録画装置と、１つのサーバ装置からなるシステムにおける番組録画システム制御方法において、
録画装置において、
所定の番組の放送時間内において放送開始時刻よりも後に該所定の番組の番組データの記録を開始する記録開始ステップと、
少なくとも、記録開始時刻を表す情報を含む録画情報をサーバ装置に送信する録画情報送信ステップと、
サーバ装置において、
録画情報及び番組データーベース装置に記憶された番組情報に基づいて、放送開始時刻よりも後に、番組データの記録が開始された番組を解析する番組解析ステップと、
番組解析ステップで解析された番組の放送開始時刻から放送終了時刻までの番組データを含む番組データを複数の録画装置によって記録された番組データの中から検索して取得する番組データ検索取得ステップと、
検索・取得された番組データを録画情報送信元の録画装置に送信する番組データ送信ステップと、
録画装置において、
既に記録された番組データを、サーバ装置によって取得された番組データと置き換える番組データ置換ステップと、からなる。
【００２０】
本発明は、放送されている番組の映像及び音声を含む番組データを記録する複数の録画装置と、１つのサーバ装置からなるシステムにおける番組録画システム制御方法において、
録画装置において、
所定の番組の放送時間内において放送開始時刻よりも後に該所定の番組の番組データの記録が開始された場合には、該所定の番組の番組データの記録を実行せずに、少なくとも記録開始時刻を表す情報を含む録画情報をサーバ装置に送信する録画する記録開始ステップと、
サーバ装置において、
録画情報及び番組データーベース装置に記憶された番組情報に基づいて、放送開始時刻よりも後に番組データの記録が開始された番組を解析する番組解析ステップと、
番組解析ステップで解析された番組の放送開始時刻から放送終了時刻までの番組データを含む番組データを複数の録画装置によって記録された番組データの中から検索して取得する番組データ検索取得ステップと、
検索・取得された番組データを録画情報送信元の録画装置に送信する番組データ送信ステップと、
録画装置において、
番組データ検索取得ステップで取得された番組データをサーバ装置から取得し、記録する番組データ記録ステップと、からなる。
【００２１】
本発明は、放送されている番組の映像及び音声を含む番組データを記録する複数の録画装置で実行される、番組録画システム制御プログラムであって、所定の番組の放送時間内において放送開始時刻よりも後に該所定の番組の番組データの記録を開始する記録開始ステップと、
少なくとも、記録開始時刻を表す情報を含む録画情報をサーバ装置に送信する録画情報送信ステップと、
サーバ装置によって編集された番組データと既に記録された番組データとを関連付けて記録する番組データ再記録ステップと、からなり、コンピュータに実行させる。
【００２２】
本発明は、放送されている番組の映像及び音声を含む番組データを記録する複数の録画装置に実行させる番組録画システム制御プログラムであって、
所定の番組の放送時間内において放送開始時刻よりも後に該所定の番組の番組データの記録を開始する記録開始ステップと、
少なくとも、記録開始時刻を表す情報を含む録画情報をサーバ装置に送信する録画情報送信ステップと、
既に記録された番組データを、サーバ装置によって取得された番組データと置き換える番組データ置換ステップと、からなり、コンピュータに実行させる。
【００２３】
本発明は、放送されている番組の映像及び音声を含む番組データを記録する複数の録画装置に実行させる番組録画システム制御プログラムであって、
所定の番組の放送時間内において放送開始時刻よりも後に該所定の番組の番組データの記録が開始された場合には、該所定の番組の番組データの記録を実行せずに、少なくとも記録開始時刻を表す情報を含む録画情報をサーバ装置に送信する録画する記録開始ステップと、
サーバ装置で取得された番組データをサーバ装置から取得し、記録する番組データ記録ステップと、からなり、コンピュータに実行させる。
【００２４】
本発明は、番組録画システムにおけるサーバ装置に実行させる番組録画システム制御プログラムであって、
録画装置から送信された録画情報及び番組データーベース装置に記憶された番組情報に基づいて、放送開始時刻よりも後に番組データの記録が開始された番組を解析する番組解析ステップと、
番組解析ステップで解析された番組において少なくとも放送開始時刻から記録開始時刻までの番組データを含む番組データを複数の録画装置によって記録された番組データの中から検索して取得する番組データ取得ステップと、
録画情報及び番組情報に基づいて、取得した番組データが放送開始時刻から記録開始時刻までの番組データとなるように編集する番組データ編集ステップと、
編集された番組データを録画情報送信元の録画装置に送信する番組データ送信ステップと、からなり、コンピュータに実行させる。
【００２５】
本発明は、番組録画システムのサーバ装置に実行させる番組録画システム制御プログラムであって、
録画装置から送信された録画情報及び番組データーベース装置に記憶された番組情報に基づいて、放送開始時刻よりも後に、番組データの記録が開始された番組を解析する番組解析ステップと、
番組解析ステップで解析された番組の放送開始時刻から放送終了時刻までの番組データを含む番組データを複数の録画装置によって記録された番組データの中から検索して取得する番組データ検索取得ステップと、
取得した番組データを録画情報送信元の録画装置に送信する番組データ送信ステップと、からなり、コンピュータに実行させる。
【００２６】
本発明は、番組録画システムのサーバ装置に実行させる番組録画システム制御プログラムであって、
録画装置から送信された録画情報及び番組データーベース装置に記憶された番組情報に基づいて、放送開始時刻よりも後に番組データの記録が開始された番組を解析する番組解析ステップと、
番組解析ステップで解析された番組の放送開始時刻から放送終了時刻までの番組データを含む番組データを複数の録画装置によって記録された番組データの中から検索して取得する番組データ検索取得ステップと、
取得した番組データを録画情報送信元の録画装置に送信する番組データ送信ステップと、からなり、コンピュータに実行させる。
【００２７】
上記のように、本発明では、サーバ装置によって各録画装置に記録された番組データの中から必要な番組データが検索され、サーバ装置によって放送開始時刻から記録開始時刻までの時間帯の番組データに編集される。編集された番組データの記録に失敗した録画装置によって取得され、記録される。このため、１つの録画装置において所定の番組データの記録が放送開始時刻よりも後に開始された場合であっても、ネットワークに接続された複数の録画装置に記録された番組データの中から必要な番組データが検索されて、録画装置間で番組データの受け渡しをすることができる。
【００２８】
また、本発明では、必要な番組の放送開始時刻から放送終了時刻までの番組データがサーバ装置によって各録画装置に記録された番組データの中から検索された番組データが番組データの記録に失敗した録画装置によって取得され、記録される。このため、１つの録画装置において所定の番組データの記録が放送開始時刻よりも後に開始された場合であっても、ネットワークに接続された複数の録画装置に記録された番組データの中から必要な番組データが検索されて、録画装置間で番組データの受け渡しが可能となる。
【００２９】
また、本発明では、番組データの記録の開始が放送開始時刻に間に合わない場合には、番組データの記録が行われずに、必要な番組の放送開始時刻から放送終了時刻までの番組データがサーバ装置によって各録画装置に記録された番組データの中から検索され、検索された番組データが番組データの記録に失敗した録画装置によって取得され、記録される。このため、１つの録画装置において所定の番組データの記録が放送開始時刻よりも後に開始された場合であっても、ネットワークに接続された複数の録画装置に記録された番組データの中から必要な番組データが検索されて、録画装置間で番組データの受け渡しが可能となる。
【００３０】
【発明の実施の形態】
以下、図面と共に本発明の実施の形態を説明する。
【００３１】
［第１の実施の形態］
図３は、本発明の第１の実施の形態における番組録画システムの構成を示す。
【００３２】
同図に示す番組録画システムは、放送されている番組の映像及び音声を含む番組データ記録する複数の録画装置１１０と、放送される番組毎に少なくとも番組の放送開始時刻及び番組の放送終了時刻を表す番組情報を記録する番組データーベース装置１２０と、番組データーベース装置１２０に接続されたサーバ装置１３０とを備えている。
【００３３】
なお、ネットワーク１０は、複数の録画装置１１０とサーバ装置１３０とを相互に通信可能に接続する。
【００３４】
図４は、本発明の第１の実施の形態における録画装置の構成を示す。
【００３５】
録画装置１１０は、アナログ放送受信部１１１ａと、映像符号化部１１１ｂと、デジタル放送受信部１１２と、番組データ記録部１１３ａと、番組データ情報記憶部１１３ｂと、録画情報生成部１１４と、番組データ取得部１１５と、番組データ復号化部１１６と、装置情報記憶部１１７と、制御部１１８と、通信部１１０とを備えている。なお、録画装置１１０は、ユーザに録画装置１１０を操作させるためのユーザインタフェースと、現在時刻を把握するためのタイマとを当然に有しているものとする。また、録画装置１１０は、予め番組データの記録を設定しておくための番組録画予約機能を当然に有しているものとする。
【００３６】
アナログ放送受信部１１１ａは、放送されているアナログ放送の番組データを受信する。
【００３７】
映像符号化部１１１ｂは、アナログ放送受信部１１１ａで受信されたアナログ放送の番組データを符号化して、アナログ信号からデジタル信号に変換する。
【００３８】
デジタル放送受信部１１２は、放送されているデジタル放送の番組データを受信する。
【００３９】
番組データ記録部１１３ａは、映像符号化部１１１ｂで符号化された番組データまたは、デジタル放送受信部１１２で受信された番組データを記憶媒体に記録する。
【００４０】
番組データ情報記憶部１１３ｂは、番組データ記録部１１３ａによって番組データの記録が行われたときに、番組データ情報を生成して、番組データ情報を記憶媒体に記憶する。ここで、番組データ情報とは、番組データ記録部１１３ａに記録されている番組データの番組名、放送局名、記録開始時刻及び記録終了時刻などを表す情報を含む情報をいう。
【００４１】
なお、番組データ記録部１１３ａは、例えば、番組Ｐの放送時間内において放送開始時刻よりも後に番組データの記録がユーザインタフェースを介してユーザによって開始された場合には、番組データの記録をそのまま行う。また、番組データ記録部１１３ａは、番組Ｐの放送終了後に、番組データ取得部１１５によって取得される番組Ｐの番組データと番組データ記録部１１３ａに既に記録された番組Ｐの番組データとを関連付けて記録する。
【００４２】
なお、番組データの記録は、番組録画予約機能に基づいて実行されてもよいし、ユーザインタフェースを介してユーザの手で記録開始が入力されたときに実行されてもよい。
【００４３】
録画情報生成部１１４は、所定の番組の放送時間内において、放送開始時刻よりも後に番組データの記録がユーザインタフェースを介し、ユーザによって開始された場合に、録画情報を生成し、生成した録画情報を通信部１１９を介して送信する。ここで、録画情報とは、少なくとも記録開始時刻を表す情報と、録画装置１１０を識別するための識別情報とを含む情報のことをいう。また、録画情報は、記録された番組データを放送している放送局名を表す情報を含む。なお、録画情報生成部１１４は、録画装置１１０における番組データの記録が番組放送開始時刻よりも後に開始されたか否かの判断を、録画装置１１０によって記録される番組がデジタル放送の番組であれば、放送局から送信される番組メニューを表す情報に基づいて行う。また、録画情報生成部１１４は、上記判断を、録画装置１１０が備えるユーザインタフェースを介して記録が放送開始時刻よりも後に開始された旨をユーザに入力させ、上記入力に基づいて行うのでもよい。
【００４４】
番組データ取得部１１５は、サーバ装置１３０によって送信された番組データを、通信部１１９を介して取得し、取得した番組データを番組データ記録部１１３ａに記録する。
【００４５】
番組データ復号化部１１６は、デジタル放送受信部１１２によって受信されたデジタル放送の番組データ及び番組データ記録部１１３ａに記録された番組データを復号化して外部に設置される映像表示装置に出力する。
【００４６】
装置情報記憶部１１７は、前述した録画装置１１０を識別するための識別情報を記憶媒体に記憶する。
【００４７】
制御部１１８は、録画装置１１０の各構成部の動作を制御する。また、制御部１１８は、サーバ装置１３０によって送信された後述する検索情報を受信したときには、検索情報によって表される番組情報を番組データ記憶部１１３ａが記録しているか否かを番組データ情報記憶部１１３ｂに記憶された番組データ情報に基づいて判定し、検索情報によって表される番組情報を番組データ記録部１１３ａが記録している場合には、番組データが存在している旨をサーバ装置１３０に通知する。また、制御部１１８は、サーバ装置１３０による番組データの送信の要求に応じて当該番組データを送信する。
【００４８】
通信部１１９は、ネットワーク１０を介した録画装置１１０とサーバ装置１３０との通信を実行する。
【００４９】
番組データーベース装置１２０は、前述したように番組情報を記憶媒体に記憶する。ここで、番組情報とは、番組名、番組の放送開始時刻、番組の放送終了時刻、番組を放送している放送局名を表す情報を含む。
【００５０】
図５は、本発明の第１の実施の形態におけるサーバ装置の構成を示す。同図に示すように、サーバ装置１３０は、番組解析部１３１と、番組データ検索取得部１３２と、番組データ編集部１３３と、制御部１３４と、通信部１３５を備えている。
【００５１】
番組解析部１３１は、録画装置１１０によって送信された録画情報と番組データベース装置１２０に記憶された番組情報とに基づいて、録画情報を送信した録画装置によっていずれの番組の番組データが記録されたかを解析する。
【００５２】
番組データ検索取得部１３２は、ネットワーク１０に接続された複数の録画装置１１０に記録された番組データの中から、番組解析部１３１によって解析された番組の番組データであって、当該番組の放送開始時刻から録画情報に表された記録開始時刻までの番組データを含む番組データを検索して取得する。
【００５３】
なお、番組データ検索取得部１３２は、番組データの検索に際して、検索すべき番組データの情報を表す各録画装置１１０に送信する。また、番組データ検索取得部１３２は、番組データの取得に際して、前述した検索情報に対して番組データが存在する旨を通知してきた録画装置１１０のうちの１つの録画措置１１０に、番組データの送信を要求し、録画装置１１０によって送信された番組データを取得する。
【００５４】
番組データ編集部１３３は、番組情報と録画情報とに基づいて、番組データ検索取得部１３２によって取得された番組データが放送開始時刻から記録開始時刻までの番組データとなるよう番組データを編集する。また、番組データ編集部１３３は、編集された番組データを録画情報を送信した録画装置１１０に送信する。
【００５５】
制御部１３４は、サーバ装置１３０の各構成部の動作を制御する。
【００５６】
通信部１３５は、ネットワーク１０を介したサーバ装置１３０と各録画装置１１０との通信を実行する。
【００５７】
次に、本実施の形態における番組録画システムの動作について図６に従って説明する。
【００５８】
図６は、本発明の一実施の形態における番組録画システムのシーケンスチャートである。
【００５９】
ここでは、番組Ｐの番組データの記録にかかる各装置の動作について説明する。
【００６０】
なお、以下の説明において、番組Ｐの番組データの記録を放送開始時刻から開始した録画装置Ａと、番組Ｐの放送時間内において放送開始時刻よりも後に番組Ｐの番組データの記録を開始した録画装置１１０Ｂと、サーバ装置１３０の動作についてのみ説明する。
【００６１】
録画装置１１０Ａにおいて、番組Ｐの放送開始時刻の番組データの記録が開始され（ステップ１１１）、放送終了時刻まで番組データの記録が継続される。
【００６２】
一方、録画装置１１０Ｂにおいては、番組Ｐの放送開始時刻よりも後に、番組データの記録が開始され（ステップ１２１）、放送終了時刻まで番組データの記録が継続される。ここで、録画装置１１０Ｂにおいて、録画情報が録画情報生成部１１４によって生成され、通信部１１０を介して録画情報がサーバ装置１３０に送信される（ステップ１２２）。
【００６３】
録画情報を受信したサーバ装置１３０において、録画情報と番組データーベース装置１２０に記憶された番組情報とに基づいて録画装置１１０Ｂによって放送開始時刻よりも遅れて番組データの記録が開始された番組が番組解析部１３１によって解析され、その番組が番組Ｐであることが解析される（ステップ１３１）。
【００６４】
次に、番組Ｐの放送終了時刻になったときに、録画装置１１０Ａ及び録画装置１１０Ｂによる番組Ｐの番組データの記録が停止される（ステップ１１２，ステップ１２３）。一方、サーバ装置１３０においては、番組Ｐの放送が終了したか否かが確認され（ステップ１３２）、番組Ｐの放送が終了していることが確認された後に、番組Ｐについて番組データの検索が行われる（ステップ１３３）。ここで、放送開始時刻から録画装置１１０Ｂによって番組データの記録が開始されるまでの時間帯の番組データを記録しているか否かを表す検索情報が番組データ検索取得部１３２によって各録画装置１１０に送信される。ここで、各録画装置１１０においては、番組データ情報記憶部１１３ｂに記憶された番組データ情報に基づいて検索情報によって表される番組データが存在するか否かが確認される。
【００６５】
この場合、録画装置１１０Ａにおいて、番組Ｐの放送開始時刻から放送終了時刻までの番組データが記録されているため、番組データの存在が録画装置１１０Ａからサーバ装置１３０に通知される（ステップ１１３）。この通知に応じて、番組Ｐの番組データの送信がサーバ装置１３０によって録画装置１１０Ａに要求され（ステップ１３４）、この要求に応じて、番組Ｐの番組データが録画装置１１０Ａからサーバ装置１３０に送信される（ステップ１１４）。
【００６６】
次いで、サーバ装置１３０において、録画装置１１０Ａによって送信された番組Ｐの番組データが番組データ検索取得部１３２によって取得される（ステップ１３５）。そして、番組情報と録画情報とに基づいて、放送開始時刻から録画装置１１０Ｂにおける記録開始時刻までの番組データとなるよう番組データ検索取得部１３２によって取得された番組Ｐの番組データが番組データ編集部１３３によって編集される（ステップ１３６）。ここで、番組データ編集部１３３によって編集された番組Ｐの番組データが録画装置１１０Ｂに送信され（ステップ１３７）、編集された番組データが録画装置１１０Ｂの番組データ取得部１１５によって取得される（ステップ１２４）。そして、録画装置１１０Ｂにおいて、番組データ記録部１１３ａに既に記録されている番組Ｐの番組データと番組データ取得部１１５によって取得された番組Ｐの番組データとが番組データ記録部１１３ａによって関連付けて記録される（ステップ１２５）。この結果、録画装置１１０Ｂにおいて番組Ｐの放送開始時刻から放送終了時刻までの番組データが記録される。
【００６７】
以上説明したように、本実施の形態の番組録画システムは、サーバ装置によって各録画装置に記録された番組データの中から必要な番組データが検索され、サーバ装置によって放送開始時刻から記録開始時刻までの時間帯の番組データに編集される。編集された番組データは番組データの記録に失敗した録画装置によって取得され、記録される。このため、１つの録画装置において所定の番組データの記録が放送開始時刻よりも後に開始された場合であっても、ネットワークに接続された複数の録画装置に記録された番組データの中から必要な番組データが検索されて、録画装置間で番組データの受け渡しをすることができる。
【００６８】
［第２の実施の形態］
以下、本発明の第２の実施の形態について説明する。
【００６９】
図７は、本発明の第２の実施の形態における番組録画システムの構成を示す。
【００７０】
同図に示す番組録画システム２００は、放送されている番組の映像及び音声を含む番組データを記録する録画装置２１０と、放送される番組毎に少なくとも番組の放送開始時刻及び番組の放送終了時刻を表す番組情報を記憶する番組データーベース装置１２０と、番組データベース装置１２０に接続されたサーバ装置２３０とを備えている。
【００７１】
なお、ネットワーク１０は、複数の録画装置２１０とサーバ装置１３０とを相互に通信可能に接続する。
【００７２】
図８は、本発明の第２の実施の形態における録画装置の構成を示す。
【００７３】
同図に示すように、録画装置２１０は、アナログ放送受信部１１０ａと、映像符号化部１１１ｂと、デジタル放送受信部１１２と、番組データ記録部２１３ａと、番組データ情報記憶部２１３ｂと、録画情報生成部１１４と、番組データ取得部１１５と、番組データ復号化部１１６と、装置情報記憶部１１７と、制御部１１８と、通信部１１９とを備えている。
【００７４】
なお、録画装置２１０は、ユーザに録画装置２１０を操作させるためのユーザインタフェースと、現在時刻を把握するためのタイマとを当然に有しているものとする。また、録画装置２１０は、予め番組データの記録を設定しておくための番組録画予約機能を当然に有しているものとする。
【００７５】
図９は、本発明の第２の実施の形態におけるサーバ装置の構成を示す。同図に示すように、サーバ装置２３０は、番組解析部１３１と、番組データ検索取得部２３２と、制御部１３４と、通信部１３５とを備えている。
【００７６】
ここで、本実施の形態の番組録画システム２００を構成する、各部のうち、上述した第１の実施の形態の番組録画システム１００における各構成部と同様の処理を行うものには、同一符号を付し、その説明を省略する。
【００７７】
番組データ記録部２１３ａは、映像符号化部１１１ｂで符号化された番組データまたは、デジタル放送受信部１１２で受信された番組データを記録する。番組データ情報記憶部２１３ｂは、番組データ記録部２１３ａによって番組データの記録が行われたときに、番組データ情報を生成して、番組データ情報を記憶する。ここで、番組データ情報とは、番組データ記録部２１３ａに記録されている番組データの番組名、放送局名、記録開始時刻及び記録終了時刻などを表す情報を含む情報のことをいう。
【００７８】
なお、番組データ記録部２１３ａには、例えば、番組Ｐの放送時間内において放送開始時刻よりも後に番組データの記録がユーザインタフェースを介してユーザによって開始された場合には、番組のデータの記録をそのまま行う。また、番組データ記録部２１３ａは、番組Ｐの放送終了後に番組データ取得部１１５によって取得される番組Ｐの番組データで番組データ記録部２１３ａに既に記録された番組Ｐの番組データを置き換える。
【００７９】
なお、番組データの記録は、番組録画予約機能に基づいて実行されてもよいし、ユーザインタフェースを介してユーザの手で記録開始が入力されたときに実行されてもよい。
【００８０】
番組データ検索取得部２３２は、前述した第１の実施の形態の番組録画システム１００に係る番組データ検索取得部１３２の処理に加えて、取得した番組データを、録画情報を送信した録画装置２１０に送信する。
【００８１】
次に、本実施の形態における番組録画システムの動作を説明する。
【００８２】
図１０は、本発明の第２の実施の形態における番組録画システムの動作のシーケンスチャートである。
【００８３】
ここでは、番組Ｐの番組データの記録に係る各装置の動作について説明する。なお、以下の説明において、番組Ｐの番組データの記録を放送開始時刻から開始した録画装置２１０Ａと、番組Ｐの放送時間内において放送開始時刻よりも後に番組Ｐの番組データの記録を開始した録画装置２１０Ｂと、サーバ装置２３０の動作についてのみ説明する。
【００８４】
録画装置２１０Ａにおいて、番組Ｐの放送開始時刻に番組データの記録が開始され（ステップ２１１）、放送終了時刻まで番組データの記録が継続される。
【００８５】
一方、録画装置２１０Ｂにおいては、番組Ｐの放送開始時刻よりも後に番組データの記録が開始され（ステップ２２１）、放送終了時刻まで番組データの記録が継続される。ここで、録画装置２１０Ｂにおいて、録画情報が録画情報生成部１１４によって生成され、通信部１１９を介して録画情報がサーバ装置２３０に送信される（ステップ２２２）。
【００８６】
録画情報を受信したサーバ装置２３０において、録画情報と番組データベース装置１２０に記憶された番組情報とに基づいて、録画装置２１０Ｂによって放送開始時刻よりも遅れて番組データの記録が開始された番組が番組解析部１３１によって解析され、その番組が番組Ｐであることが解析される（ステップ２３１）。
【００８７】
次に、番組Ｐの放送終了時刻になったときに、録画装置２１０Ａ及び録画装置２１０Ｂによる番組Ｐの番組データの記録が停止される（ステップ２１２，２２３）。一方、サーバ装置２３０においては、番組Ｐの放送が終了したか否かが確認され（ステップ２３２）、番組Ｐの放送が終了していることが確認された後に、番組Ｐについて番組データの検索が行われる（ステップ２３３）。ここで、番組Ｐの放送開始時刻から放送終了時刻までの番組データを記録しているか否かを表す検索情報が番組データ検索取得部２３２によって各録画装置２１０に送信される。ここで、各録画装置２１０においては、番組データ情報記憶部２１３ｂに記憶された番組データ情報に基づいて検索情報によって表される番組データが存在するか否かが確認される。
【００８８】
この場合、録画装置２１０Ａによって、番組Ｐの放送開始時刻から放送終了までの番組データが記録されているため、番組データの存在が録画装置２１０Ａからサーバ装置２３０に通知される（ステップ２１３）。この通知に応じて、番組Ｐの番組データの送信がサーバ装置２３０によって録画装置２１０Ａに要求され（ステップ２３４）、この要求に応じて、番組Ｐの番組データが録画装置２１０Ａからサーバ装置２３０に送信される（ステップ２１４）。
【００８９】
次いで、サーバ装置２３０において、録画装置２１０Ａによって送信された番組Ｐの番組データが番組データ検索取得部２３２によって取得される（ステップ２３５）。そして、番組データ検索取得部２３２によって取得された番組Ｐの番組データが録画装置２１０Ｂに送信され（ステップ２３６）、番組Ｐの番組データが録画装置２１０Ｂの番組データ取得部１１５によって取得される（ステップ２２４）。そして、録画装置２１０Ｂにおいて、番組データ記録部２１３ａに既に記録されている番組Ｐの番組データが番組データ情報記憶部２１３ｂによって破棄され、番組データ取得部１１５によって取得された番組Ｐの番組データが番組データ記録部２１３ａによって記録される（ステップ２２５）。すなわち、番組データ記録部２１３ａにおいて、既に記録されている番組Ｐの番組データが番組データ取得部１１５によって取得された番組Ｐの番組データと置き換えられる。この結果、録画装置２１０Ｂにおいて番組Ｐの放送開始時刻から放送終了時刻までの番組データが記録される。
【００９０】
以上説明したように、本実施の形態の番組録画システムは、必要な番組の放送開始時刻から放送終了時刻までの番組データがサーバ装置によって各録画装置に記録された番組データの中から検索され、検索された番組データが番組データの記録に失敗した録画装置によって取得され記録される。このため、１つの録画装置において所定の番組データの記録が放送開始時刻よりも後に開始された場合であっても、ネットワークに接続された複数の録画装置に記録された番組データの中から必要な番組データが検索されて、録画装置間で番組データの受け渡しをすることができる。
【００９１】
［第３の実施の形態］
以下、本発明の第３の実施の形態について説明する。
【００９２】
図１１は、本発明の第３の実施の形態における番組録画システムの構成を示す。同図に示す番組録画システムは、放送されている番組の映像及び音声を含む番組データを記録する複数の録画装置３１０と、放送される番組毎に少なくとも番組の放送開始時刻及び番組の放送終了時刻を表す番組情報を記憶する番組データーベース装置１２０と、番組データーベース装置１２０に接続されたサーバ装置２３０とを備えている。
【００９３】
なお、ネットワーク１０は、複数の録画装置３１０とサーバ装置２３０とを相互に通信可能に接続する。
【００９４】
図１２は、本発明の第３の実施の形態における録画装置の構成を示す。同図に示すように、録画装置３１０は、アナログ放送受信部１１１ａと、映像符号化部１１１ｂと、デジタル放送受信部１１２と、番組データ記録部３１３ａと、番組データ情報記憶部３１３ｂと、録画情報生成部１１４と、番組データ取得部１１５と、番組データ復号化部１１６と、装置情報記憶部１１７と、制御部３１８と、通信部１１９とを備えている。
【００９５】
なお、録画装置３１０は、ユーザに録画装置３１０を操作させるためのユーザインタフェースと、現在時刻を把握するためのタイマとを当然に有しているものとする。また、録画装置３１０は、予め番組データの記録を設定しておくための番組録画予約機能を当然に有しているものとする。
【００９６】
また、図９に示すように、サーバ装置２３０は、番組解析部１３１と、番組データ検索取得部２３２と、制御部１３４と、通信部１３５とを備えている。
【００９７】
ここで、本実施の形態の番組録画システム３００を構成する各構成部農地、上述した第１の実施の形態の番組録画システム１００における構成部と同様の処理を行うものには同一符号を付し、その説明を省略する。
【００９８】
番組データ記録部３１３ａは、映像符号化部１１１ｂで符号化された番組データまたは、デジタル放送受信部１１２で受信された番組データを記録する。番組データ情報記憶部３１３ｂは、番組データ記憶部３１３ａによって番組データの記録が行われたときに、番組データ情報を生成して番組データ情報を記憶手段に記憶する。ここで、番組データ情報とは、番組データ記録部３１３ａに記録されている番組データの番組名、放送局名、記録開始時刻及び記録終了時刻などを表す情報を含む情報のことをいう。
【００９９】
なお、番組データ記録部３１３ａは、例えば、番組Ｐの放送時間内において放送開始時刻よりも後に番組データの記録がユーザインタフェースを介してユーザによって開始された場合には、番組データの記録を行わずに、番組Ｐの放送終了後に番組データ取得部１１５によって取得される番組Ｐの番組データを記録する。
【０１００】
制御部３１８は、前述した第１の実施の形態の制御部１１８の処理に加えて、番組の放送時間内において放送開始時刻よりも後に番組データの記録がユーザインタフェースを介し、ユーザによって開始されたことを検出する。また、制御部３１８は、例えば、番組Ｐの放送時間内において放送開始時刻より後に番組データの記録がユーザインタフェースを介し、ユーザによって開始された場合には、番組データ記録部３１３ａが番組Ｐの番組データの記録を行わないよう番組データ記録部３１３ａを制御する。
【０１０１】
なお、制御部３１８は、録画装置３１０における番組データの記録が番組の放送開始時刻よりも後に開始されたか否かの検出を、録画装置３１０によって記録される番組がデジタル放送の番組であれば、放送局から送信される番組メニューを表す情報に基づいて行うようにしてもよい。
【０１０２】
また、制御部３１８は、上記の検出を録画装置３１０が備えるユーザインタフェースを介して記録が放送開始時刻よりも後に開始された旨をユーザに入力させ、上記の入力に基づいて行うものでもよい。
【０１０３】
なお、番組データの記録は、番組録画予約機能に基づいて実行されてもよいし、ユーザインタフェースを介してユーザの手で記録開始が入力されたときに実行されてもよい。
【０１０４】
次に、本実施の形態における番組録画システム３００の動作について図１３に従って説明する。図１３は、本発明の第３の実施の形態における番組録画システムの動作のシーケンスチャートである。
【０１０５】
ここでは、番組Ｐの番組データの記録に係る各装置の動作について説明する。
【０１０６】
なお、以下の説明において、番組Ｐの番組データの記録を放送開始時刻から開始した録画装置３１０Ａと、番組Ｐの放送時間内において放送開始時刻よりも後に番組Ｐの番組データの記録を開始した録画装置３１０Ｂと、サーバ装置２３０の動作についてのみ説明する。
【０１０７】
録画装置３１０Ａにおいて、番組Ｐの放送開始時刻に番組データの記録が開始され（ステップ３１１）、放送終了時刻まで番組データの記録が継続される。
一方、録画装置３１０Ｂにおいては、番組Ｐの放送開始時刻よりも後に番組データの記録の開始がユーザによって入力されたことが制御部３１８によって検出される（ステップ３２１）。ここで、録画装置３１０Ｂにおいて、録画情報が録画情報生成部１１４によって生成され、通信部１１９を介して録画情報がサーバ装置２３０に送信される（ステップ３２２）。このとき、番組データ情報記憶部３１３ｂによって番組Ｐの番組データは記録されない。
【０１０８】
録画情報を受信したサーバ装置２３０において、録画情報と番組データーベース装置１２０に記憶された番組情報とに基づいて、録画装置３１０Ｂによって放送開始時刻よりも遅れて番組データの記録が開始された番組が番組解析部１３１によって解析され、その番組が番組Ｐであることが解析される（ステップ３３１）。
【０１０９】
次に、番組Ｐの放送終了時刻になったときに、録画装置３１０Ａ及び録画装置３１０Ｂによる番組Ｐの番組データの記録が停止される（ステップ３１２）。一方、サーバ装置２３０においては、番組Ｐの放送が終了したか否かが確認され（ステップ３３２）、番組Ｐの放送が終了していることが確認された後に、番組Ｐについて番組データの検索が行われる（ステップ３３３）。ここで、番組Ｐの放送開始時刻から放送終了時刻までの番組データを記録しているか否かを表す検索情報が番組データ検索取得部２３２によって各録画装置３１０に送信される。ここで、各録画装置３１０においては、番組データ情報記憶部３１３ｂに記憶された番組データ情報に基づいて検索情報によって表される番組データが存在するか否かが確認される。
【０１１０】
この場合、録画装置３１０Ａにおいて、番組Ｐの放送開始時刻から放送終了時刻までの番組データが記録されているため、番組データの存在が録画装置３１０からサーバ装置２３０に通知される（ステップ３１３）。この通知に応じて、番組Ｐの番組データの送信要求がサーバ装置２３０によって録画装置３１０Ａに要求され（ステップ３３４）、この要求に応じて番組Ｐの番組データが録画装置３１０Ａからサーバ装置２３０に送信される（ステップ３１４）。
【０１１１】
次いで、サーバ装置２３０において、録画装置３１０Ａによって送信された番組Ｐの番組データが番組データ検索取得部２３２によって取得される（ステップ３３５）。そして、番組データ検索取得部２３２によって取得された番組Ｐの番組データが録画装置３１０Ｂに送信され（ステップ３３６）、番組Ｐの番組データが録画装置３１０Ｂの番組データ取得部１１５によって取得される（ステップ３２３）。そして、録画装置３１０Ｂにおいて、番組データ取得部１１５によって取得された番組Ｐの番組データが番組データ記録部３１３ａによって記録される（ステップ３２４）。この結果、録画装置３１０Ｂにおいて番組Ｐの放送開始時刻から放送終了時刻までの番組データが記録される。
【０１１２】
以上説明したように、本実施の形態の番組録画システムは、番組データの記録の開始が放送開示時刻に間に合わない場合には、番組データの記録を行わずに、必要な番組の放送開始時刻から放送終了時刻までの番組データがサーバ装置によって各録画装置に記録された番組データの中から検索され、検索された番組データが番組データの記録に失敗した録画装置によって取得され記録される。このため、１つの録画装置において所定の番組データの記録が放送開始時刻よりも後に記録された番組データの中から必要な番組データが検索されて、録画装置間で番組データの受け渡しをすることができる。
【０１１３】
なお、本発明の第１から第３のいずれかの実施の形態の番組録画システムにおいて、録画装置による録画情報のサーバ装置への送信は、番組データの記録が番組の放送開始時刻よりも後に開始された場合にのみ行われていたが、録画装置の録画情報生成部は、番組データの記録が開始された全ての場合において録画情報を生成してサーバ装置に送信するようにしてもよい。この場合にあっては、サーバ装置の番組解析部は、番組情報と録画情報とに基づいて、番組データの記録が番組の放送開始時刻よりも後に開始されたか否かを判断するようにする。
【０１１４】
また、第１から第３のいずれかの実施の形態の番組録画システムにおいては、録画情報に録画装置が復号可能な番組データの符号化形式、番組データ記録時のビットレートなどを表す情報を含んでもよいものとする。この場合には、録画装置の装置情報記憶手段は、装置情報として録画情報に録画装置が復号化可能な番組データの符号化形式、番組データ記録時のビットレートなどを表す情報とするように構成される。さらに、この場合には、サーバ装置の番組データ検索取得部は、符号化形式を表す情報、ビットレートを表す情報についても番組データを検索する参照データとして用い、番組データを検索するように構成されてもよい。
【０１１５】
この結果、サーバ装置によって検索され、録画装置によって取得され、記録される番組データが当該録画装置において確実に再生される。
【０１１６】
また、上記の第１から第３の実施の形態における録画装置及び、サーバ装置の動作をプログラムとして構築し、録画装置及びサーバ装置として利用されるコンピュータにインストールし、ＣＰＵ等の制御手段により実行することも可能である。また、構築されたプログラムをネットワークを介して流通させてもよい。
【０１１７】
また、構築されたプログラムを録画装置及びサーバ装置として利用されるコンピュータに接続されるハードディスク装置や、フレキシブルディスクやＣＤ−ＲＯＭ等の可搬記憶媒体に格納しておき、本発明を実施する際に、これらのコンピュータにインストールして実行することも可能である。
【０１１８】
なお、本発明は、上記の実施の形態に限定されることなく、特許請求の範囲内において、種々変更・応用が可能である。
【０１１９】
【発明の効果】
上述のように、本発明によれば、各録画装置に記録された番組データの中から必要な番組データを検索して、録画装置間で番組データの受け渡しをすることができる。
【０１２０】
【図面の簡単な説明】
【図１】本発明の原理構成図である。
【図２】本発明の原理を説明するための図である。
【図３】本発明の第１の実施の形態における番組録画システム構成図である。
【図４】本発明の第１の実施の形態における録画装置の構成図である。
【図５】本発明の第１の実施の形態におけるサーバ装置の構成図である。
【図６】本発明の第１の実施の形態における番組録画システムのシーケンスチャートである。
【図７】本発明の第２の実施の形態における番組録画システムの構成図である。
【図８】本発明の第２の実施の形態における録画装置の構成図である。
【図９】本発明の第２の実施の形態におけるサーバ装置の構成図である。
【図１０】本発明の第２の実施の形態における番組録画システムの動作のシーケンスチャートである。
【図１１】本発明の第３の実施の形態における番組録画システムの構成図である。
【図１２】本発明の第３の実施の形態における録画装置の構成図である。
【図１３】本発明の第３の実施の形態における番組録画システムの動作のシーケンスチャートである。
【符号の説明】
１０  ネットワーク
１００，２００，３００  番組録画システム
１１０，２１０，３１０  録画装置
１１１ａ  アナログ放送受信部
１１１ｂ  映像符号化部
１１２  デジタル放送受信部
１１３ａ  番組データ記録手段
１１３ｂ  番組データ情報記憶部
１１４  録画情報送信手段、録画情報生成部
１１５  番組データ取得部
１１６  番組データ復号化部
１１７  装置情報記憶部
１１８  制御部
１１９  通信部
１２０  番組データーベース装置
１３０，２３０  サーバ装置
１３１  番組解析手段、番組解析部
１３２  番組データ検索・取得手段、番組データ検索取得部
１３３  番組データ編集手段、番組データ編集部
１３４  制御部
１３５  通信部
２１３ａ  番組データ取得部
２１３ｂ  番組データ情報記憶部
２３２  番組データ検索取得部
３１３ａ  番組データ記録部
３１３ｂ  番組データ情報記憶部
３１８  制御部
【図１】
2004320455.tif 000003
【図２】
2004320455.tif 000004
【図３】
2004320455.tif 000005
【図４】
2004320455.tif 000006
【図５】
2004320455.tif 000007
【図６】
2004320455.tif 000008
【図７】
2004320455.tif 000009
【図８】
2004320455.tif 000010
【図９】
2004320455.tif 000011
【図１０】
2004320455.tif 000012
【図１１】
2004320455.tif 000013
【図１２】
2004320455.tif 000014
【図１３】
2004320455.tif 000015